(57)【要約】【課題】不特定多数の人が利用する飲料ディスペンサにおいて、効果的におすすめ商品を表示すること。【解決手段】飲料を選択している人物を検出する人物検出手段１０６と、その人物の属性を判定する人物属性判定部３０１と、人物属性判定部３０１で判定された属性情報に基づいておすすめ商品の表示方法を判定する表示方法判定部３０４とを備え、人物属性判定部３０１で判定された人物の属性情報に応じた表示方法で、おすすめ商品を表示する。【選択図】図１
2017206284.tif 000002
【特許請求の範囲】
【請求項１】
販売する飲料のメニューを表示する表示部と、飲料を選択する人物を検出する人物検出手段と、前記人物検出手段で検出された人物の属性を判定する人物属性判定部と、前記人物属性判定部で判定された属性情報に基づいて前記表示部での表示態様を判定する表示方法判定部と、前記表示部の表示内容を制御する表示制御部とを備え、前記表示制御部は、前記表示部に、前記表示方法判定部が判定した表示態様で、おすすめ商品を表示する飲料ディスペンサ。
【請求項２】
飲料を注ぐためのカップを検出するカップ検出手段を備え、前記カップ検出手段が前記カップを検出すると、前記人物属性判定部は前記人物検出手段で検出された人物の属性を判定する請求項１に記載の飲料ディスペンサ。
【請求項３】
前記表示方法判定部は、前記人物属性判定部で判定された属性情報の年齢が、予め設定された第１の年齢以上であった場合、前記メニューのうち一部の商品を拡大する表示態様を選択する請求項１または２に記載の飲料ディスペンサ。
【請求項４】
前記表示方法判定部は、前記人物属性判定部で判定された属性情報の年齢が、予め設定された第２の年齢未満であった場合、前記メニューのうち一部の商品をアニメーション表示する表示態様を選択する請求項１〜３のいずれか１項に記載の飲料ディスペンサ。
【請求項５】
前記表示方法判定部は、前記人物属性判定部で判定された属性情報の年齢が、予め設定された第３の年齢以上第４の年齢未満であった場合、おすすめ商品の詳細情報を表示する請求項１〜４のいずれか１項に記載の飲料ディスペンサ。
【請求項６】
前記表示方法判定部は、前記人物属性判定部で判定された属性情報の性別に応じて、前記詳細情報の内容を変更する請求項５に記載の飲料ディスペンサ。
【請求項７】
前記人物検出手段が人物を検知しない場合には、前記表示部におすすめ商品を表示しない請求項１〜６のいずれか１項に記載の飲料ディスペンサ。
【発明の詳細な説明】
【技術分野】
【０００１】
本発明は、タッチパネル式のディスプレイを有する飲料ディスペンサに関するものである。
【背景技術】
【０００２】
従来、店舗や施設内に設置されている自動販売装置においては、タッチパネル式のディスプレイを備え、視覚的にわかりやすく表示すると共に、直感的に商品を選択することができるものが知られている。
【０００３】
この種の自動販売装置は、販売する商品が多い場合においても商品を一画面に表示することが可能であるが、利用者は所望の商品を選択するのに多くの時間を要してしまうといった課題を有していた。
【０００４】
そのため、自動販売装置にカメラなどの撮像手段を備え、撮像手段で得られた画像情報に基づいて利用者の年齢や性別を属性情報として推測して、推測した属性に応じた商品をおすすめ商品としてディスプレイに表示する技術（例えば、特許文献１参照）が提案されている。
【先行技術文献】
【特許文献】
【０００５】
【特許文献１】特開２０１２−６３９３０号公報
【発明の概要】
【発明が解決しようとする課題】
【０００６】
しかしながら、ファミリーレストランやコンビニエンスストア等に設置される飲料ディスペンサは、不特定多数の人が利用する。このため、たとえ属性情報に基づいておすすめ商品を強調表示しても、利用者の年代によっては煩雑に見えたり、おすすめされている理由が十分伝わらなかったりする。これより、あまり、おすすめ商品に好感を持ってもらえず、折角のおすすめ機能が逆効果になる場合がある。
【０００７】
そこで本発明は、おすすめ商品を利用者の属性に適した表現方法で表示することにより、どの年代の利用者においても、効果的におすすめ商品やおすすめ理由を認識し、おすすめ商品の選択を促すことができる飲料ディスペンサを提供することを目的とする。
【課題を解決するための手段】
【０００８】
本発明は、前記従来の課題を解決するために、本発明の飲料ディスペンサは、販売する飲料のメニューを表示する表示部と、飲料を選択する人物を検出する人物検出手段と、前記人物検出手段で検出された人物の属性を判定する人物属性判定部と、前記人物属性判定部で判定された属性情報に基づいて前記表示部での表示態様を判定する表示方法判定部と、前記表示部の表示内容を制御する表示制御部とを備え、前記表示制御部は、前記表示部に、前記表示方法判定部が判定した表示態様で、おすすめ商品を表示するものである。
【発明の効果】
【０００９】
本発明は、飲料を選択している人物の属性を判定して、利用者の属性に応じた表現態様でおすすめ商品を表示することで、どの年代の利用者に対しても効果的におすすめ商品やおすすめ理由を提供でき、おすすめ商品の選択を促すことが可能となる。
【図面の簡単な説明】
【００１０】
【図１】本発明の実施の形態１または実施の形態２における飲料ディスペンサの概略図
【図２】本発明の実施の形態１における飲料ディスペンサの操作表示部の構成図
【図３】本発明の実施の形態１におけるフローチャート
【図４】本発明の実施の形態１または実施の形態２における初期の飲料メニューを示す図
【図５】本発明の実施の形態１または実施の形態２におけるおすすめ商品を示す図
【図６】本発明の実施の形態１におけるおすすめ商品の拡大表示を示す図
【図７】本発明の実施の形態１におけるおすすめ商品のアニメーション表示を示す図
【図８】本発明の実施の形態１または実施の形態２におけるおすすめ商品の詳細表示を示す図
【図９】本発明の実施の形態２における飲料ディスペンサの操作表示部の構成図
【図１０】本発明の実施の形態２におけるフローチャート
【発明を実施するための形態】
【００１１】
第１の発明は、販売する飲料のメニューを表示する表示部と、飲料を選択する人物を検出する人物検出手段と、前記人物検出手段で検出された人物の属性を判定する人物属性判定部と、前記人物属性判定部で判定された属性情報に基づいて前記表示部での表示態様を判定する表示方法判定部と、前記表示部の表示内容を制御する表示制御部とを備え、前記表示制御部は、前記表示部に、前記表示方法判定部が判定した表示態様で、おすすめ商品を表示するものである。
【００１２】
これによって、飲料ディスペンサ本体の前で飲料を選択している人物におすすめする商品を表示する場合、人物属性判定部で判定された人物の属性情報に応じた表示方法でおすすめ商品を表示することができる。
【００１３】
第２の発明は、特に、第１の発明において、飲料を注ぐためのカップを検出するカップ検出手段を備え、前記カップ検出手段が前記カップを検出すると、前記人物属性判定部は前記人物検出手段で検出された人物の属性を判定するものである。
【００１４】
これによって、カップ検出手段においてカップが置かれたことを検出すると、人物属性判定部は飲料ディスペンサの前にいる人物の属性を判定するため、利用者が商品を選択しているタイミングでおすすめ商品を表示することができる。
【００１５】
第３の発明は、特に、第１または第２の発明において、前記表示方法判定部は、前記人物属性判定部で判定された属性情報の年齢が、予め設定された第１の年齢以上であった場合、前記メニューのうち一部の商品を拡大する表示態様を選択するものである。
【００１６】
これによって、飲料ディスペンサ本体の前で飲料を選択している人物が高齢者である場合、おすすめ商品を拡大して表示することができる。
【００１７】
第４の発明は、特に、第１から第３のいずれか１つの発明において、前記表示方法判定部は、前記人物属性判定部で判定された属性情報の年齢が、予め設定された第２の年齢未満であった場合、前記メニューのうち一部の商品をアニメーション表示する表示態様を選択するものである。
【００１８】
これによって、飲料ディスペンサ本体の前で飲料を選択している人物が子供である場合、おすすめ商品をアニメーション表示することができる。
【００１９】
第５の発明は、特に、第１から第４のいずれか１つの発明において、前記表示方法判定部は、前記人物属性判定部で判定された属性情報の年齢が、予め設定された第３の年齢以上第４の年齢未満であった場合、おすすめ商品の詳細情報を表示するものである。
【００２０】
これによって、飲料ディスペンサ本体の前で飲料を選択している人物が一般成人である場合、おすすめ商品に詳細情報を付与して表示することができる。
【００２１】
第６の発明は、特に、第５の発明において、前記表示方法判定部は、前記人物属性判定部で判定された属性情報の性別に応じて、前記詳細情報の内容を変更するものである。
【００２２】
これによって、飲料ディスペンサ本体の前で飲料を選択している人物の性別に応じて、おすすめ商品の詳細情報にカロリー情報などの特別な情報を表示することができる。
【００２３】
第７の発明は、特に、第１から第６のいずれか１つの発明において、前記人物検出手段が人物を検知しない場合には、前記表示部におすすめ商品を表示しないものである。
【００２４】
これによって、飲料の選択中に飲料ディスペンサの前から利用者がいなくなった場合、おすすめ商品を非表示にすることが可能となり、次の利用者は誤った属性のおすすめ商品を表示されることなく望ましい飲料を選択することができる。
【００２５】
以下、本発明の実施の形態について、図面を参照しながら説明する。なお、この実施の形態によって本発明が限定されるものではない。
【００２６】
（実施の形態１）
図１に、本発明の第１の実施の形態における飲料ディスペンサの外観の概略図を示す。図１において、飲料ディスペンサ本体１０１には、マトリクス型の液晶ディスプレイからなる表示手段１０２と、タッチパネルからなる操作手段１０３とで構成される操作表示部１１１が設けられている。また、飲料ディスペンサ本体１０１には、飲料を吐出する吐出部１０４と、飲料ディスペンサ本体１０１に、飲料を注ぐためのカップが置かれているかどうかを検出するカップ検出手段１０５と、飲料ディスペンサ本体１０１を利用する人物を検出する人物検出手段１０６とが設けられている。
【００２７】
操作手段１０３のタッチパネルは格子状に配列された電極パターンで構成された静電容量方式のタッチパネルであり、表示手段１０２上に粘着することにより、表示手段１０２へのタッチ位置を検出する。
【００２８】
カップ検出手段１０５は、非接触の距離検出手段である。人物検出手段１０６は、例えば、カメラなどの撮像手段である。人物検出手段１０６は、飲料ディスペンサ本体１０１の前で飲料を選択している人物を検出することが望ましい。
【００２９】
図２に、本実施の形態における飲料ディスペンサの操作表示部１１１の構成図を示す。図２において、操作表示部１１１は、販売する飲料メニューを表示する表示手段１０２と、利用者がタッチパネルを介して所望の飲料を選択する操作手段１０３と、飲料ディスペンサの前で飲料を選択している人物を検出する人物検出手段１０６と、表示手段１０２への表示を制御する表示制御部２０１とを備えている。
【００３０】
また、表示制御部２０１は、人物検出手段１０６で検出された画像情報から利用者の年齢や性別を判定する人物属性判定部３０１と、人物属性判定部３０１で判定された属性情報に基づきおすすめする商品を判定するおすすめ商品判定部３０２と、人物属性判定部３０１で判定された属性情報に基づきおすすめ商品の表示方法を判定する表示方法判定部３
０４と、おすすめ商品判定部３０２で判定されたおすすめ商品を表示方法判定部３０４で判定された表示方法で表示手段１０２へ表示するおすすめ商品表示制御部３０３とを備えている。
【００３１】
表示方法判定部３０４は、人物属性判定部３０１で判定された年齢情報が予め設定された第１の年齢以上の場合に表示する方法を判定する高齢者表示部４０１と、人物属性判定部３０１で判定された年齢情報が予め設定された第２の年齢未満の場合に表示する方法を判定する子供表示部４０２と、人物属性判定部３０１で判定された年齢情報が予め設定された年齢の範囲内、例えば、第３の年齢以上第４の年齢未満の場合に表示する方法を判定する詳細情報表示部４０３を備えている。例えば、第１の年齢は６０歳であり、第２の年齢は１２歳であり、第３の年齢は２０歳であり、第４の年齢は５０歳である。なお、第３の年齢は、第２の年齢と同じ年齢に設定してもよい。第４の年齢は、第１の年齢と同じ年齢に設定してもよい。
【００３２】
高齢者表示部４０１と子供表示部４０２と詳細情報表示部４０３には、判定する年齢情報と対応する表示方法と商品の詳細情報が予め設定されている。
【００３３】
また、おすすめ商品判定部３０２には、人物属性判定部３０１で判定された年齢情報に応じて飲料ディスペンサの利用者へ推奨するおすすめ商品情報が予め設定されている。
【００３４】
以上のように構成された飲料ディスペンサの操作について、その動作、作用を図３のフローチャートを使用して説明する。
【００３５】
まず、飲料ディスペンサ本体１０１は、待機中に表示手段１０２へ図４に示す飲料メニューを表示し、カップ検出手段１０５において、カップの検出を開始する（ステップＳ１０１）。待機中とは、飲料ディスペンサの利用者が誰もいない状態であり、例えば、人物検出手段１０６が飲料ディスペンサ本体１０１の前に人物を検出していない状態や、利用者がる操作手段１０３を操作していない状態である。
【００３６】
ここで、図４は、待機中に表示手段１０２へ表示される飲料メニューの例を示しており、商品Ａ〜Ｐを示す飲料画像６０１が予め設定された配置に表示されている。また、飲料画像６０１のうち、商品Ａ〜Ｐを示すそれぞれの画像の大きさは、略同じ大きさである。
【００３７】
次に、利用者が飲料ディスペンサ本体１０１へ近づき、カップを飲料ディスペンサ本体１０１の所定の位置に置くと、カップ検出手段１０５は、カップが置かれたことを検知する（ステップＳ１０２、ＹＥＳ）。カップ検出手段１０５は、人物検出手段１０６へカップが置かれたことを通知する。
【００３８】
人物検出手段１０６は、カップ検出手段１０５からカップが置かれた情報を取得すると、飲料ディスペンサ本体１０１の前で飲料を選択している利用者の顔画像を撮影（ステップＳ１０３）し、撮影した顔画像情報を人物属性判定部３０１へ送信する。
【００３９】
人物属性判定部３０１は人物属性判定部３０１から取得した顔画像情報から飲料を選択している人物の年齢を判定（ステップＳ１０４）し、判定した年齢情報をおすすめ商品判定部３０２と表示方法判定部３０４へ通知する。
【００４０】
おすすめ商品判定部３０２は、人物属性判定部３０１から取得した年齢情報に基づきおすすめ商品を判定（ステップＳ１０５）し、例えば、商品６０２ａと商品６０３ａをおすすめ商品としておすすめ商品表示制御部３０３へ通知する。おすすめ商品表示制御部３０３は、例えば、図５に示すように、おすすめ商品に対応する画像の色彩や輝度を変更する
。この場合、おすすめ商品に対応する画像の大きさは変更しないことが、おすすめ商品以外の商品も利用者が容易に認識できる点で望ましい。
【００４１】
表示方法判定部３０４は、人物属性判定部３０１から取得した年齢情報が予め設定された範囲内かどうかを判定し、年齢情報が予め設定された範囲内であった場合（ステップＳ１０６、ＹＥＳ）、年齢情報に基づきおすすめ商品の表示方法を変更する（ステップＳ１０７）。
【００４２】
例えば、表示方法判定部３０４は、予め設定された第１の年齢以上の場合には、おすすめ商品の情報を高齢者表示部４０１に送る。また、予め設定された第２の年齢未満の場合には、おすすめ商品の情報を子供表示部４０２に送る。さらに、予め設定された第３の年齢以上第４の年齢未満の場合には、おすすめ商品の情報を詳細情報表示部４０３に送る。
【００４３】
高齢者表示部４０１は、例えば、図６に示すように商品６０２ａと商品６０３ａの商品画像を拡大表示するように表示手段１０２への指示を変更する。つまり、おすすめ商品に対応する画像の大きさを他の商品に対応する画像の大きさより大きくする。おすすめ商品に対応する画像の大きさは、待機中に表示手段１０２へ表示される配置において、おすすめ商品以外の商品に対応する画像の一部に重なる程度の大きさであることが望ましい。
【００４４】
子供表示部４０２は、例えば、図７に示すように商品６０２ａと商品６０３ａの商品画像をアニメーション表示するように表示手段１０２への指示を変更する。例えば、おすすめ商品に対応する画像を断続的に左右に回転させたり、上下左右に移動させたりする。この場合、おすすめ商品に対応する画像の大きさは変更しないことが、おすすめ商品以外の商品も利用者が容易に認識できる点で望ましい。
【００４５】
詳細情報表示部４０３は、例えば、図８に示すように商品６０２ａの詳細情報６０２ｂと商品６０３ａの詳細情報６０３ｂを商品画像の近くに表示するように表示手段１０２への指示を変更する。おすすめ商品に対応する詳細情報は、おすすめ商品を推奨する理由や、おすすめ商品のカロリー情報や栄養情報などの商品自体に関する情報である。詳細情報に対応する画像の大きさは、待機中に表示手段１０２へ表示される配置において、おすすめ商品以外の商品に対応する画像の一部に重なる程度の大きさであることが、詳細情報を容易に認識できる点で望ましい。
【００４６】
おすすめ商品表示制御部３０３は、おすすめ商品判定部３０２から取得したおすすめ商品を表示方法判定部３０４から取得した表示方法に基づき表示手段１０２へ表示する（ステップＳ１０８）。
【００４７】
カップ検出手段１０５が、カップが置かれたことを検知しない場合（ステップＳ１０２、Ｎｏ）には、ステップＳ１０１に戻り、カップ検出手段１０５は、定期的にカップの検知を行う。
【００４８】
表示方法判定部３０４が、人物属性判定部３０１から取得した年齢情報が予め設定された範囲内でないと判定した場合（ステップＳ１０６、Ｎｏ）、年齢情報に基づきおすすめ商品の表示方法を変更することなく、ステップＳ１０８に進む。つまり、図５で説明した表示方法で、おすすめ商品を表示する。
【００４９】
以上のように、本実施の形態においては、人物検出手段１０６で検出された人物の年齢情報からそれぞれの年代に適した表示方法でおすすめ商品を表示することができる。つまり、どの年代の利用者に対しても効果的な方法でおすすめ商品を表示することができる。
【００５０】
また、本実施の形態においては、おすすめ商品の画像そのものを加工して拡大表示やアニメーション表示をすることにより、画像データを保存するためのメモリの容量を抑えて、おすすめ商品を効果的に表示することができる。
【００５１】
より具体的には、人物属性判定部３０１から取得した年齢情報が、予め設定された第１の年齢以上の場合、つまり、利用者が高齢者である場合には、おすすめ商品を拡大表示することで、高齢者でもおすすめ商品が見やくなる。
【００５２】
また、予め設定された第２の年齢未満の場合、つまり、利用者が子供である場合には、おすすめ商品をアニメーション表示することで、子供の興味をひくことができる。
【００５３】
また、予め設定された第３の年齢以上第４の年齢未満の場合、つまり、利用者が成人である場合には、おすすめ商品に詳細情報を付与して表示することで、利用者におすすめ理由などの情報を提供できる。  なお、飲料ディスペンサは、外部設定手段を備え、外部設定手段を介して、おすすめ商品判定部３０２に予め設定された年齢情報に応じたおすすめ商品情報を任意に設定、変更可能とする構成であってもよい。また、外部設定手段を介して、高齢者表示部４０１と子供表示部４０２と詳細情報表示部４０３とのそれぞれに予め設定された年齢情報、または、表示方法、または、商品の詳細情報を任意に設定、変更可能とする構成であってもよい。
【００５４】
また、本実施の形態においては、表示手段１０２へおすすめ商品を表示後、カップ検出手段１０５においてカップが置かれていないことを検知、または、人物検出手段１０６において飲料ディスペンサ本体１０１の前に人がいないことを検知すると、表示手段１０２へ表示したおすすめ商品を非表示にしてもよい。これによれば、次の利用者が、前の利用者に対するおすすめ商品を選択することを防止できる。
【００５５】
なお、本実施の形態では、おすすめ商品は、商品６０２ａと商品６０３ａの２つであるとして説明したが、おすすめ商品は１つでも、２つ以上の複数の商品であってもい。
【００５６】
（実施の形態２）
本発明における第２の実施の形態について図９を使用して説明する。図９は、本実施の形態における飲料ディスペンサの操作表示部の構成図である。本実施の形態の操作表示部が、実施の形態１で説明した操作表示部１１１と異なる点は、詳細情報表示部４０３が、人物属性判定部３０１で判定された年齢情報に加えて、性別情報に応じて特定の詳細情報を表示する特定情報表示部５０１を備えたる点である。
【００５７】
以下、主に実施の形態１と異なる点を説明する。
【００５８】
おすすめ商品判定部３０２には、人物属性判定部３０１で判定された年齢情報と性別情報に応じて飲料ディスペンサの利用者へ推奨するおすすめ商品情報が予め設定されている。特定情報表示部５０１には、特定の詳細情報を表示する年齢情報と性別情報と対応する商品の詳細情報が予め設定されている。
【００５９】
以上のように構成された飲料ディスペンサの操作について、その動作、作用を図１０のフローチャートを使用して説明する。
【００６０】
まず、飲料ディスペンサ本体１０１は、待機中に表示手段１０２へ図４に示す飲料メニューを表示し、カップ検出手段１０５において、カップの検出を開始する（ステップＳ２０１）。
【００６１】
ここで、図４は、待機中に表示手段１０２へ表示される飲料メニューの例を示しており、商品Ａ〜Ｐを示す飲料画像６０１が予め設定された配置に表示されている。
【００６２】
次に、利用者が飲料ディスペンサ本体１０１へ近づき、カップを飲料ディスペンサ本体１０１の所定の位置に置くと、カップ検出手段１０５は、カップが置かれたことを検知（ステップＳ２０２、ＹＥＳ）し、人物検出手段１０６へカップが置かれたことを通知する。
【００６３】
人物検出手段１０６は、カップ検出手段１０５からカップが置かれた情報を取得すると、飲料ディスペンサ本体１０１の前で飲料を選択している利用者の顔画像を撮影（ステップＳ２０３）し、撮影した顔画像情報を人物属性判定部３０１へ送信する。
【００６４】
人物属性判定部３０１は人物属性判定部３０１から取得した顔画像情報から飲料を選択している人物の年齢と性別を判定（ステップＳ２０４）し、判定した年齢情報と性別情報をおすすめ商品判定部３０２と表示方法判定部３０４へ通知する。
【００６５】
おすすめ商品判定部３０２は、人物属性判定部３０１から取得した年齢情報と性別情報に基づきおすすめ商品を判定（ステップＳ２０５）し、例えば、商品６０２ａと商品６０３ａをおすすめ商品としておすすめ商品表示制御部３０３へ通知する。おすすめ商品表示制御部３０３は、例えば、図５に示すように、おすすめ商品に対応する画像の色彩や輝度を変更する。
【００６６】
表示方法判定部３０４は、人物属性判定部３０１から取得した年齢情報が予め設定された第１の年齢範囲内かどうかを判定し、年齢情報が予め設定された第１の年齢範囲内であった場合（ステップＳ２０６、ＹＥＳ）、詳細情報表示部４０３において商品の詳細情報を表示すると判定（ステップＳ２０７）する。
【００６７】
さらに、人物属性判定部３０１から取得した年齢情報が予め設定された第２の年齢範囲内であり、かつ、性別情報が予め定られた性別と一致するかどうかを判定し、性別情報が予め設定された第２の年齢範囲であり、かつ、性別情報が予め定められた性別であった場合（ステップＳ２０８、ＹＥＳ）、特定情報表示部５０１は、年齢情報と性別情報に基づきおすすめ商品の表示内容を変更する（ステップＳ２０９）。
【００６８】
なお、第２の年齢範囲は、第１の年齢範囲と同じ範囲であってもよい。
【００６９】
例えば、人物属性判定部３０１で判定された年齢情報が予め設定された第２の年齢範囲内であった場合、図８に示すように商品６０２ａの詳細情報６０２ｂと商品６０３ａの詳細情報６０３ｂが商品画像の近くに表示される。さらに、人物属性判定部３０１で判定された性別情報が女性の場合には、詳細情報６０２ｂと詳細情報６０３ｂへおすすめ商品のカロリー情報を表示する。
【００７０】
おすすめ商品表示制御部３０３は、前記おすすめ商品判定部３０２から取得したおすすめ商品を表示方法判定部３０４から取得した表示方法に基づき表示手段１０２へ表示する（ステップＳ２１０）。
【００７１】
カップ検出手段１０５が、カップが置かれたことを検知しない場合（ステップＳ２０１、Ｎｏ）には、ステップＳ２０１に戻り、カップ検出手段１０５は、定期的にカップの検知を行う。
【００７２】
表示方法判定部３０４が、人物属性判定部３０１から取得した年齢情報が予め設定され
た第１の年齢範囲内でないと判定した場合（ステップＳ２０６、Ｎｏ）、年齢情報に基づきおすすめ商品の表示方法を変更することなく、ステップＳ２１０に進む。つまり、図５で説明した表示方法で、おすすめ商品を表示する。
【００７３】
また、表示方法判定部３０４が、人物属性判定部３０１から取得した年齢情報が予め設定された第２の年齢範囲内でない、または、性別情報が予め定られた性別と一致しない、と判定した場合（ステップＳ２０８、Ｎｏ）、年齢情報と性別情報に基づきおすすめ商品の表示方法を変更することなく、ステップＳ２１０に進む。つまり、図５で説明した表示方法で、おすすめ商品を表示する。
【００７４】
以上のように、本実施の形態においては、人物検出手段１０６で検出された人物の年齢情報と性別情報から、利用者に適したおすすめ商品の情報を表示することができる。つまり、利用者に対してより効果的な方法でおすすめ商品を表示することができる。さらに、性別に応じて、その性別の人物が興味を示すような内容の詳細情報を付与できる。
【００７５】
なお、飲料ディスペンサは、外部設定手段を備え、外部設定手段を介して、おすすめ商品判定部３０２に予め設定された年齢情報と性別情報に応じたおすすめ商品情報を任意に設定、変更可能とする構成であってもよい。また、外部設定手段を介して、特定情報表示部５０１に予め設定された年齢情報と性別情報、または、対応する商品の詳細情報を任意に設定、変更可能とする構成であってもよい。
【００７６】
また、本実施の形態においては、表示手段１０２へおすすめ商品を表示後、カップ検出手段１０５においてカップが置かれていないことを検知、または、人物検出手段１０６において飲料ディスペンサ本体１０１の前に人がいないことを検知すると、表示手段１０２へ表示したおすすめ商品を非表示にしてもよい。
【産業上の利用可能性】
【００７７】
以上のように、本発明にかかる飲料を選択している人物の属性を判定して、利用者の属性に応じた表現でおすすめ商品を表示できる。このため、効果的に利用者に商品を推奨することができ、利用者は短時間で望ましい商品を選択することができるため、飲料ディスペンサ以外の商品の自動販売装置にも適用できる。
【符号の説明】
【００７８】
１０１  飲料ディスペンサ本体
１０２  表示手段
１０３  操作手段
１０４  吐出部
１０５  カップ検出手段
１０６  人物検出手段
１１１  操作表示部
３０１  人物属性判定部
３０２  商品判定部
３０３  おすすめ商品表示制御部
３０４  表示方法判定部
４０１  高齢者表示部
４０２  子供表示部
４０３  詳細情報表示部
５０１  特定情報表示部
６０１  飲料画像
６０２ａ、６０３ａ  おすすめ商品
６０２ｂ、６０３ｂ  詳細情報
【図１】
2017206284.tif 000003
【図２】
2017206284.tif 000004
【図３】
2017206284.tif 000005
【図４】
2017206284.tif 000006
【図５】
2017206284.tif 000007
【図６】
2017206284.tif 000008
【図７】
2017206284.tif 000009
【図８】
2017206284.tif 000010
【図９】
2017206284.tif 000011
【図１０】
2017206284.tif 000012